(57)【要約】【課題】管理領域の内部にいる関係者に気付かれずに関係者以外の者が管理領域の内部に進入することを防止できる入退室管理システムを提供する。【解決手段】入退室管理システムは、管理領域の出入口の入側に設けられた入側読取装置と、前記管理領域の内側に設けられ、前記入側読取装置が識別体から読み取った識別情報が予め記憶された識別情報と一致した際に進入要請音を発する発音装置と、前記発音装置が進入要請音を発することを止めた後に前記入側読取装置が当該識別体から読み取った識別情報が予め記憶された識別情報と一致するか否かに基づいて当該識別体を認証するか否かを判定する認証装置と、を備えた。【選択図】図１
2015209673.tif 000002
【特許請求の範囲】
【請求項１】
管理領域の出入口の入側に設けられた入側読取装置と、
前記管理領域の内側に設けられ、前記入側読取装置が識別体から読み取った識別情報が予め記憶された識別情報と一致した際に進入要請音を発する発音装置と、
前記発音装置が進入要請音を発することを止めた後に前記入側読取装置が当該識別体から読み取った識別情報が予め記憶された識別情報と一致するか否かに基づいて当該識別体を認証するか否かを判定する認証装置と、
を備えた入退室管理システム。
【請求項２】
前記管理領域の内側に設けられた確認装置、
を備え、
前記発音装置は、前記入側読取装置が識別体から読み取った識別情報が予め記憶された識別情報と一致した際に進入要請音を発した後に前記確認装置が操作された際に進入要請音を発することを止める請求項１に記載の入退室管理システム。
【請求項３】
前記認証装置は、前記確認装置の操作内容が前記管理領域の内部への進入を許可する内容の場合は、前記発音装置が進入要請音を発することを止めた後に前記入側読取装置が当該識別体から読み取った識別情報が予め記憶された識別情報と一致した場合に当該識別体を認証する請求項２に記載の入退室管理システム。
【請求項４】
前記認証装置は、前記確認装置の操作内容が前記管理領域の内部への進入を許可しない内容の場合は、前記発音装置が進入要請音を発することを止めた後に前記入側読取装置が当該識別体から読み取った識別情報が予め記憶された識別情報と一致した場合に当該識別体を認証しない請求項２または請求項３に記載の入退室管理システム。
【請求項５】
前記発音装置は、進入要請音を発した後に予め設定された時間が経過した際に当該進入要請音を発することを止める請求項１に記載の入退室管理システム。
【発明の詳細な説明】
【技術分野】
【０００１】
この発明は、入退室管理システムに関する。
【背景技術】
【０００２】
特許文献１には、入退室管理システムが記載されている。入退室管理システムにおいて、入側読取装置は、管理領域の出入口の入側に設けられる。入側読取装置は、識別体から識別情報を読み取る。認証装置は、入側読取装置が当該識別体から読み取った識別情報が予め記憶された識別情報と一致するか否かに基づいて当該識別体を認証するか否かを判定する。発音装置は、当該識別体の認証結果を知らせる音を発する。
【先行技術文献】
【特許文献】
【０００３】
【特許文献１】特開平２−２９４８９６号公報
【発明の概要】
【発明が解決しようとする課題】
【０００４】
しかしながら、当該音は、管理領域の内部の者に届かない。このため、重大な会議をしている際、当該管理領域への進入を許可された者であれば、当該会議の関係者以外の者でも、管理領域の内部にいる関係者に気付かれることなく当該管理領域の内部に進入し得る。
【０００５】
この発明は、上述の課題を解決するためになされた。この発明の目的は、管理領域の内部にいる関係者に気付かれずに関係者以外の者が管理領域の内部に進入することを防止できる入退室管理システムを提供することである。
【課題を解決するための手段】
【０００６】
この発明に係る入退室管理システムは、管理領域の出入口の入側に設けられた入側読取装置と、前記管理領域の内側に設けられ、前記入側読取装置が識別体から読み取った識別情報が予め記憶された識別情報と一致した際に進入要請音を発する発音装置と、前記発音装置が進入要請音を発することを止めた後に前記入側読取装置が当該識別体から読み取った識別情報が予め記憶された識別情報と一致するか否かに基づいて当該識別体を認証するか否かを判定する認証装置と、を備えた。
【発明の効果】
【０００７】
この発明によれば、識別体が認証される前に、管理領域の内側において、進入要請音が発せられる。このため、管理領域の内部にいる関係者に気付かれずに関係者以外の者が管理領域の内部に進入することを防止できる。
【図面の簡単な説明】
【０００８】
【図１】この発明の実施の形態１における入退室管理システムの構成図である。
【図２】この発明の実施の形態１における入退室管理システムが適用される管理領域の出入口の拡大図である。
【図３】この発明の実施の形態１における入退室管理システムが適用される管理領域の内部の拡大図である。
【図４】この発明の実施の形態１における入退室管理システムが適用される管理領域の出入口の拡大図である。
【図５】この発明の実施の形態１における入退室管理システムが適用される管理領域の出入口の拡大図である。
【図６】この発明の実施の形態１における入退室管理システムの動作を説明するためのフローチャートである。
【図７】この発明の実施の形態２における入退室管理システムが適用される管理領域の出入口の拡大図である。
【図８】この発明の実施の形態２における入退室管理システムの動作を説明するためのフローチャートである。
【発明を実施するための形態】
【０００９】
この発明を実施するための形態について添付の図面に従って説明する。なお、各図中、同一又は相当する部分には、同一の符号が付される。当該部分の重複説明は適宜に簡略化又は省略化される。
【００１０】
実施の形態１．
図１はこの発明の実施の形態１における入退室管理システムの構成図である。
【００１１】
図１において、管理領域１は、建築物の部屋等からなる。管理領域１は、図示しない出入口を備える。扉２は、出入口に設けられる。図示しない電気錠は、扉２に設けられる。
【００１２】
入側読取装置３は、出入口の入側に設けられる。例えば、入側読取装置３は、入側カードリーダからなる。入側発音装置４は、出入口の入側に設けられる。例えば、入側発音装置４は、入側読取装置３に設けられる。
【００１３】
出側読取装置５は、出入口の出側に設けられる。例えば、出側読取装置５は、出側カードリーダからなる。出側発音装置６は、出入口の出側に設けられる。例えば、出側発音装置６は、出側読取装置５に設けられる。
【００１４】
確認装置７は、管理領域１の内側に設けられる。例えば、確認装置７は、確認用カードリーダからなる。認証装置８は、管理領域１に対応して設けられる。認証装置８は、入側読取装置３と出側読取装置５と確認装置７とに接続される。認証装置８は、電気錠に接続される。認証装置８は、管理領域１の内部への進入を許可する者に対応した識別情報を予め記憶する。
【００１５】
管理領域１の外部の者は、一回目の操作として、入側読取装置３に対して識別体９を操作する。例えば、管理領域１の外部の者は、入側読取装置３に対してカードをかざす。この際、入側読取装置３は、識別体９から識別情報を読み取る。認証装置８は、識別体９から読み取られた識別情報と予め記憶された識別情報とを照合する。
【００１６】
識別体９から読み取られた識別情報と予め記憶された識別情報とが一致する場合、入側発音装置４と出側発音装置６とは、進入要請音を発する。当該進入要請音は、管理領域１の内部の者に届く。
【００１７】
管理領域１の内部の者は、当該進入要請音に応じて確認装置７を操作する。その結果、入側発音装置４と出側発音装置６とは、進入要請音を発することを止める。
【００１８】
進入要請音が止まると、管理領域１の外部の者は、二回目の操作として、入側読取装置３に対して識別体９を操作する。認証装置８は、識別体９から読み取られた識別情報が予め記憶された識別情報と一致するか否かに基づいて当該識別体９を認証するか否かを判定する。
【００１９】
当該識別体９が認証された場合は、認証装置８は、電気錠を解く。当該識別体９が認証されない場合は、認証装置８は、電気錠を解かない。
【００２０】
次に、図２を用いて、進入要請音を説明する。
図２はこの発明の実施の形態１における入退室管理システムが適用される管理領域の出入口の拡大図である。
【００２１】
図２に示すように、進入要請音は、管理領域１の内部と外部とで発せられる。進入要請音は、識別体９の照合結果を知らせる際の音とは異なる音に設定される。例えば、進入要請音は、断続的に発せられる。進入要請音は、確認装置７が操作されるまで鳴り続ける。
【００２２】
次に、図３を用いて、確認装置７の操作方法を説明する。
図３はこの発明の実施の形態１における入退室管理システムが適用される管理領域の内部の拡大図である。
【００２３】
図３に示すように、管理領域１の内部の者は、管理領域１の内部への進入を許可するか否かに応じて確認装置７に対して操作内容を変える。例えば、管理領域１の内部の者は、確認装置７の釦を押した後に確認装置７に対して識別体９を操作する。例えば、管理領域１の内部の者は、確認装置７に対して識別体９を２回連続してかざす。
【００２４】
次に、図４を用いて、管理領域１への進入が許可された場合を説明する。
図４はこの発明の実施の形態１における入退室管理システムが適用される管理領域の出入口の拡大図である。
【００２５】
図４に示すように、管理領域１への進入が許可された場合、識別体９から読み取った識別情報が予め記憶された識別情報と一致すれば、当該識別体９は認証される。
【００２６】
次に、図５を用いて、管理領域１への進入が許可されなかった場合を説明する。
図５はこの発明の実施の形態１における入退室管理システムが適用される管理領域の出入口の拡大図である。
【００２７】
図５に示すように、管理領域１のへの進入が許可されなかった場合、識別体９から読み取った識別情報が予め記憶された識別情報と一致しても、当該識別体９は認証されない。
【００２８】
次に、図６を用いて、入退室管理システムの動作を説明する。
図６はこの発明の実施の形態１における入退室管理システムの動作を説明するためのフローチャートである。
【００２９】
ステップＳ１では、管理領域１の外部の者は、一回目の操作として、入側読取装置３に対して識別体９を操作する。その後、ステップＳ２に進み、認証装置８は、識別体９から読み取られた識別情報と予め記憶された識別情報とを照合する。
【００３０】
ステップＳ２で識別体９から読み取られた識別情報と予め記憶された識別情報とが一致しない場合は、ステップＳ３に進む。ステップＳ３では、認証装置８は、当該識別体９を認証しない。その結果、管理領域１の外部の者は、管理領域１の内部への進入を許可されない。その後、動作が終了する。
【００３１】
ステップＳ２で識別体９から読み取られた識別情報と予め記憶された識別情報とが一致する場合は、ステップＳ４に進む。ステップＳ４では、入側発音装置４と出側発音装置６とは、進入要請音を発する。
【００３２】
その後、ステップＳ５に進み、管理領域１の内部の者は、確認装置７を操作する。その後、ステップＳ６に進み、入側発音装置４と出側発音装置６とは、進入要請音を発することを止める。
【００３３】
その後、ステップＳ７に進み、管理領域１の外部の者は、二回目の操作として、入側読取装置３に対して識別体９を操作する。その後、ステップＳ８に進み、入側読取装置３は、進入要請音が止まってから一定時間が経過したか否かを判定する。
【００３４】
ステップＳ８で進入要請音が止まってから一定時間が経過した場合は、ステップＳ３に進む。ステップＳ３では、認証装置８は、当該識別体９を認証しない。その結果、管理領域１の外部の者は、管理領域１の内部への進入を許可されない。その後、動作が終了する。
【００３５】
ステップＳ８で進入要請音が止まってから一定時間が経過していない場合は、ステップＳ９に進む。ステップＳ９では、入側読取装置３は、識別体９から読み取った識別情報と予め記憶された識別情報とを照合する。
【００３６】
ステップＳ９で識別体９から読み取った識別情報と予め記憶された識別情報とが一致しない場合は、ステップＳ３に進む。ステップＳ３では、認証装置８は、当該識別体９を認証しない。その結果、管理領域１の外部の者は、管理領域１の内部への進入を許可されない。その後、動作が終了する。
【００３７】
ステップＳ９で識別体９から読み取られた識別情報と予め記憶された識別情報とが一致する場合は、ステップＳ１０に進む。ステップＳ１０では、入側読取装置３は、当該識別体９を認証する。その結果、管理領域１の外部の者は、管理領域１の内部への進入を許可される。その後、動作が終了する。
【００３８】
以上で説明した実施の形態１によれば、識別体９が認証される前に、管理領域１の内側において、進入要請音が発せられる。このため、管理領域１の内部にいる関係者に気付かれずに関係者以外の者が管理領域１の内部に進入することを防止できる。その結果、セキュリティ性を向上することができる。また、管理領域１の内部において行われている会議等の情報が関係者以外に漏洩することを防止できる。
【００３９】
また、進入要請音が発せられた後に管理領域１の内部の者が意識的に確認装置７を操作した際に、進入要請音が止まる。このため、管理領域１の内部にいる関係者に気付かれずに関係者以外の者が管理領域１の内部に進入することをより確実に防止できる。
【００４０】
また、認証装置８は、確認装置７の操作内容に応じて識別体９を認証するか否かを判定する。このため、管理領域１への進入を許可された者に対して一時的に管理領域１の進入を制限することができる。
【００４１】
実施の形態２．
図７はこの発明の実施の形態２における入退室管理システムが適用される管理領域の出入口の拡大図である。なお、実施の形態１の部分と同一又は相当部分には同一符号が付される。当該部分の説明は省略される。
【００４２】
実施の形態１においては、進入要請音が発せられた後に確認装置７が操作された際に、進入要請音が止まる。これに対し、実施の形態２においては、進入要請音が発せられた後に予め設定された時間が経過した際に、進入要請音が止まる。
【００４３】
次に、図８を用いて、入退室管理システムの動作を説明する。
図８はこの発明の実施の形態２における入退室管理システムの動作を説明するためのフローチャートである。
【００４４】
ステップＳ１１では、管理領域１の外部の者は、一回目の操作として、入側読取装置３に対して識別体９を操作する。その後、ステップＳ１２に進み、認証装置８は、識別体９から読み取られた識別情報と予め記憶された識別情報とを照合する。
【００４５】
ステップＳ１２で識別体９から読み取られた識別情報と予め記憶された識別情報とが一致しない場合は、ステップＳ１３に進む。ステップＳ１３では、認証装置８は、当該識別体９を認証しない。その結果、管理領域１の外部の者は、管理領域１の内部への進入を許可されない。その後、動作が終了する。
【００４６】
ステップＳ１２で識別体９から読み取られた識別情報と予め記憶された識別情報とが一致する場合は、ステップＳ１４に進む。ステップＳ１４では、入側発音装置４と出側発音装置６とは、進入要請音を発する。
【００４７】
その後、予め設定された時間が経過すると、ステップＳ１５に進む。ステップＳ１５では、入側発音装置４と出側発音装置６とは、進入要請音を発することを止める。
【００４８】
その後、ステップＳ１６に進み、管理領域１の外部の者は、二回目の操作として、入側読取装置３に対して識別体９を操作する。その後、ステップＳ１７に進み、認証装置８は、進入要請音が止まってから一定時間が経過したか否かを判定する。
【００４９】
ステップＳ１７で進入要請音が止まってから一定時間が経過した場合は、ステップＳ１３に進む。ステップＳ１３では、認証装置８は、当該識別体９を認証しない。その結果、管理領域１の外部の者は、管理領域１の内部への進入を許可されない。その後、動作が終了する。
【００５０】
ステップＳ１７で進入要請音が止まってから一定時間が経過していない場合は、ステップＳ１８に進む。ステップＳ１８では、認証装置８は、識別体９から読み取った識別情報と予め記憶された識別情報とを照合する。
【００５１】
ステップＳ１８で識別体９から読み取られた識別情報と予め記憶された識別情報とが一致しない場合は、ステップＳ１３に進む。ステップＳ１３では、認証装置８は、当該識別体９を認証しない。その結果、管理領域１の外部の者は、管理領域１の内部への進入を許可されない。その後、動作が終了する。
【００５２】
ステップＳ１８で識別体９から読み取られた識別情報と予め記憶された識別情報とが一致する場合は、ステップＳ１９に進む。ステップＳ１９では、認証装置８は、当該識別体９を認証する。その結果、管理領域１の外部の者は、管理領域１の内部への進入を許可される。その後、動作が終了する。
【００５３】
以上で説明した実施の形態２によれば、入側発音装置４と出側発音装置６とは、進入要請音を発した後に予め設定された時間が経過した際に当該進入要請音を発することを止める。このため、管理領域１の内部にいる関係者の操作を要することなく、管理領域１の内部にいる関係者に気付かれずに関係者以外の者が管理領域１の内部に進入することを防止できる。
【００５４】
なお、実施の形態１の認証の設定と実施の形態２の認証の設定と従来の認証の設定との中から利用する設定を識別情報毎に選定してもよい。
【００５５】
また、実施の形態１の認証の設定と実施の形態２の認証の設定と従来の認証の設定との中から利用する設定を管理領域１毎に選定してもよい。
【符号の説明】
【００５６】
１  管理領域、  ２  扉、  ３  入側読取装置、  ４  入側発音装置、  ５  出側読取装置、  ６  出側発音装置、  ７  確認装置、  ８  認証装置、  ９  識別体
【図１】
2015209673.tif 000003
【図２】
2015209673.tif 000004
【図３】
2015209673.tif 000005
【図４】
2015209673.tif 000006
【図５】
2015209673.tif 000007
【図６】
2015209673.tif 000008
【図７】
2015209673.tif 000009
【図８】
2015209673.tif 000010